【手続補正書】
【提出日】平成19年4月26日(2007.4.26)
【手続補正１】
【補正対象書類名】明細書
【補正対象項目名】発明の名称
【補正方法】変更
【補正の内容】
【発明の名称】デジタル放送受信装置およびデジタル放送受信方法
【手続補正２】
【補正対象書類名】明細書
【補正対象項目名】特許請求の範囲
【補正方法】変更
【補正の内容】
【特許請求の範囲】
【請求項１】  番組とともに、当該番組の内容を案内する番組案内情報が放送されるデジタル放送を受信する装置であって、
デジタル放送を受信する放送受信手段と、
放送受信手段が受信する番組案内情報に基づいて、番組が予め設定される検索条件に適合するか否かを判断する条件判断手段と、
条件判断手段によって番組が検索条件に適合すると判断されるデジタル放送の受信を続け、番組が検索条件に適合すると判断されないデジタル放送は受信を停止し、異なるデジタル放送を受信するように受信手段を制御して、番組の検索を行う番組検索手段とを含むことを特徴とするデジタル放送受信装置。
【請求項２】  前記条件判断手段によって番組が検索条件に適合すると判断されたデジタル放送をスピーカもしくはディスプレイに出力し、所定時間を経過すると、検索条件に適合する他の番組を検索することを特徴とする請求項１記載のデジタル放送受信装置。
【請求項３】  前記検索条件を設定する条件設定手段をさらに含み、
前記条件設定手段は、予め用意されている複数の条件のリストから前記条件判断手段が判断する検索条件を設定することを特徴とする請求項１または２記載のデジタル放送受信装置。
【請求項４】  前記検索条件には、複数の条件を指定することが可能であり、かつこれら条件の論理演算を行うことが可能であり、
前記条件設定手段は、条件入力手段で入力される条件に、演算が指定されれば、該演算を施して、前記条件判断手段が判断する検索条件として設定することを特徴とする請求項１〜３のいずれかに記載のデジタル放送受信装置。
【請求項５】  前記条件として、前記番組のジャンルを指定可能であることを特徴とする請求項１〜４のいずれかに記載のデジタル放送受信装置。
【請求項６】  前記デジタル放送は、映像、音声、データおよび臨時をサービスの種類に含み、
前記条件として、該サービスの種類を指定可能であることを特徴とする請求項１〜５のいずれかに記載のデジタル放送受信装置。
【請求項７】  前記デジタル放送は、映像、音声、データおよび臨時をサービスの種類に含み、
前記番組検索手段は、サービスの種類毎に、前記番組の検索を行うことを特徴とする請求項１〜５のいずれかに記載のデジタル放送受信装置。
【請求項８】  前記検索条件には、番組名、出演者名または番組詳細情報の少なくともいずれかについてのキーワードを指定可能であり、
前記条件設定手段は、指定されたキーワードを含む番組を受信するように前記検索条件を設定することを特徴とする請求項１〜７のいずれかに記載のデジタル放送受信装置。
【請求項９】  前記番組検索手段が番組の検索を実行中に、番組の視聴の要求を入力可能な要求入力手段と、
要求入力手段に番組の視聴の要求が入力されるとき、番組検索手段を制御して番組の検索を停止し、前記放送受信手段を制御して番組の視聴用の受信を行う制御手段とをさらに含むことを特徴とする請求項１〜８のいずれかに記載のデジタル放送受信装置。
【請求項１０】  前記要求入力手段は、前記視聴を中止して前記番組の検索を再開する要求を入力可能であり、
前記制御手段は、要求入力手段に番組の検索を再開する要求が入力されるとき、前記番組検索手段を制御して、前記番組の検索を停止した状態から、番組の検索を再開させることを特徴とする請求項９記載のデジタル放送受信装置。
【請求項１１】  前記条件設定手段によって設定される検索条件を保存する条件保存手段をさらに含み、
前記条件判断手段は、前記条件保存手段に保存される検索条件に従って、前記番組の判断を行うことを特徴とする請求項１〜１０のいずれかに記載のデジタル放送受信装置。
【請求項１２】  番組とともに、当該番組の内容を案内する番組案内情報が放送されるデジタル放送を受信するデジタル放送受信方法において、
受信した番組案内情報に基づいて、番組が予め設定される検索条件に適合するか否かを判断し、
受信した番組が検索条件に適合すると判断されるデジタル放送の受信を続け、番組が検索条件に適合すると判断されないデジタル放送は受信を停止し、異なるデジタル放送を受信して、番組の検索を行うことを特徴とするデジタル放送受信方法。
【手続補正３】
【補正対象書類名】明細書
【補正対象項目名】０００１
【補正方法】変更
【補正の内容】
【０００１】
【発明の属する技術分野】
本発明は、デジタル放送受信装置およびデジタル放送受信方法に関する。
【手続補正４】
【補正対象書類名】明細書
【補正対象項目名】０００２
【補正方法】変更
【補正の内容】
【０００２】
【従来の技術】
テレビジョン（ＴＶ）放送やラジオ放送などのデジタル化が２００３年から順次開始される。従来から、静止軌道の人工衛星を利用する衛星系のデジタル放送として、放送衛星からのＢＳ（Broadcasting Satellite）デジタル放送や、通信衛星からのＣＳ（Communic ation Satellite ）デジタル放送なども行われている。これらの放送のデジタル化に伴う多チャンネル化によって、視聴者はさまざまな放送を視聴することができるようになるけれども、それに伴って視聴したい情報（番組）の選別が困難になってくる。
【手続補正５】
【補正対象書類名】明細書
【補正対象項目名】０００３
【補正方法】変更
【補正の内容】
【０００３】
デジタル放送には、ＥＰＧ（Electronic Program Guide）機能が存在し、視聴者が放送される番組を選別する便宜を図っている。すなわち、ＥＰＧは、番組を選択するという行為を補助するために放送局から提供するサービスであり、視聴者は、これまで新聞や雑誌を参照して行っていた視聴・録画などの対象となる番組の選択をテレビジョンの画面上で行うことが可能になる。
【手続補正６】
【補正対象書類名】明細書
【補正対象項目名】０００８
【補正方法】変更
【補正の内容】
【０００８】
【発明が解決しようとする課題】
デジタル放送に設けられているＥＰＧ機能では、一覧表示で前述の番組表や番組案内情報などの番組情報が提供される。しかし、一覧表示になっているＥＰＧ画面では、表示可能な番組情報が限られており、視聴者が瞬時に詳しい情報を得ることはできない。また詳細情報を得るための画面操作では、釦操作を頻繁に行わなければならず、操作が煩雑になってしまう。特に、車載デジタル放送受信装置では、表示画面が小さくなるという事情もあり、ＥＰＧ画面の操作は視聴したい番組を探す手段として、効果的ではない。
【手続補正７】
【補正対象書類名】明細書
【補正対象項目名】０００９
【補正方法】変更
【補正の内容】
【０００９】
従来のアナログＴＶ放送やアナログラジオ放送では、受信可能な番組内容（映像もしくは音声）を自動的に一定時間ずつ視聴者に提示することで、視聴者が試聴したい番組を探すチャンネルサーチ機能が存在する。デジタル放送受信装置でもこの手法は効果的である。前述のように、受信可能な番組内容を、代替放送を受信して提示する先行技術も提案されている。しかしながら、デジタル放送では、１つの放送局からも映像、音声、データが多重化されて提供され、提供されるサービスの種類が多いので、順次サービスの内容を確認するために視聴していくと、視聴を希望する番組に到達するまでに時間がかかってしまう可能性もある。
【手続補正８】
【補正対象書類名】明細書
【補正対象項目名】００１０
【補正方法】変更
【補正の内容】
【００１０】
本発明の目的は、効率的な番組サーチを実現可能なデジタル放送受信装置およびデジタル放送受信方法を提供することである。
【手続補正９】
【補正対象書類名】明細書
【補正対象項目名】００１１
【補正方法】変更
【補正の内容】
【００１１】
本発明は、番組とともに、当該番組の内容を案内する番組案内情報が放送されるデジタル放送を受信する装置であって、
デジタル放送を受信する放送受信手段と、
放送受信手段が受信する番組案内情報に基づいて、番組が予め設定される検索条件に適合するか否かを判断する条件判断手段と、
条件判断手段によって番組が検索条件に適合すると判断されるデジタル放送の受信を続け、番組が検索条件に適合すると判断されないデジタル放送は受信を停止し、異なるデジタル放送を受信するように受信手段を制御して、番組の検索を行う番組検索手段とを含むことを特徴とするデジタル放送受信装置である。
【手続補正１０】
【補正対象書類名】明細書
【補正対象項目名】００１３
【補正方法】変更
【補正の内容】
【００１３】
また本発明は、前記条件判断手段によって番組が検索条件に適合すると判断されたデジタル放送をスピーカもしくはディスプレイに出力し、所定時間を経過すると、検索条件に適合する他の番組を検索することを特徴とする。
【手続補正１１】
【補正対象書類名】明細書
【補正対象項目名】００１４
【補正方法】変更
【補正の内容】
【００１４】
本発明に従えば、検索条件に適合する番組をスピーカもしくはディスプレイに出力され、所定時間経過すると、出力中の番組と切替えて検索条件に適合する他の番組が出力されるので、視聴者は検索条件に適合する受信可能な番組を見たり聞いたりすることで確認することができる。
【手続補正１２】
【補正対象書類名】明細書
【補正対象項目名】００１５
【補正方法】変更
【補正の内容】
【００１５】
また本発明は、前記検索条件を設定する条件設定手段をさらに含み、
前記条件設定手段は、予め用意されている複数の条件のリストから前記条件判断手段が判断する検索条件を設定することを特徴とする。
【手続補正１３】
【補正対象書類名】明細書
【補正対象項目名】００１６
【補正方法】変更
【補正の内容】
【００１６】
本発明に従えば、視聴者は、条件判断手段が判断する条件を、予め用意されている複数の条件のリストから選択することが可能となるので、視聴者による条件の設定操作を簡単にすることができる。
【手続補正１４】
【補正対象書類名】明細書
【補正対象項目名】００１７
【補正方法】変更
【補正の内容】
【００１７】
また本発明で、前記検索条件には、複数の条件を指定することが可能であり、かつこれら条件の論理演算を行うことが可能であり、
前記条件設定手段は、条件入力手段で入力される条件に、演算が指定されれば、該演算を施して、前記条件判断手段が判断する検索条件として設定することを特徴とする。
【手続補正１５】
【補正対象書類名】明細書
【補正対象項目名】００１８
【補正方法】変更
【補正の内容】
【００１８】
本発明に従えば、条件設定手段は、条件判断手段が判断する検索条件に否定ＮＯＴや、複数の条件についてのＯＲやＡＮＤなど、少なくとも１つの演算が指定されると、指定された演算を含む検索条件を設定するので、視聴者の希望する条件での番組の検索を効率的に行うことができる。
【手続補正１６】
【補正対象書類名】明細書
【補正対象項目名】００２５
【補正方法】変更
【補正の内容】
【００２５】
また本発明で、前記検索条件には、番組名、出演者名または番組詳細情報の少なくともいずれかについてのキーワードを指定可能であり、
前記条件設定手段は、指定されたキーワードを含む番組を受信するように前記検索条件を設定することを特徴とする。
【手続補正１７】
【補正対象書類名】明細書
【補正対象項目名】００２６
【補正方法】変更
【補正の内容】
【００２６】
本発明に従えば、条件設定手段には、番組名、出演者名または番組詳細情報の少なくともいずれかについてのキーワードを設定可能であるので、視聴者は視聴したい番組を選択するためにキーワードを設定し、設定されたキーワードを番組名、出演者名または番組詳細情報の少なくともいずれかに含むような番組を検索することができる。
【手続補正１８】
【補正対象書類名】明細書
【補正対象項目名】００２７
【補正方法】変更
【補正の内容】
【００２７】
また本発明は、前記番組検索手段が番組の検索を実行中に、番組の視聴の要求を入力可能な要求入力手段と、要求入力手段に番組の視聴の要求が入力されるとき、番組検索手段を制御して番組の検索を停止し、前記放送受信手段を制御して番組の視聴用の受信を行う制御手段とをさらに含むことを特徴とする。
【手続補正１９】
【補正対象書類名】明細書
【補正対象項目名】００２８
【補正方法】変更
【補正の内容】
【００２８】
本発明に従えば、番組検索手段によって番組の検索を実行中に、要求入力手段に番組の視聴を要求すれば、番組の検索を停止し、番組の視聴用の受信を行うように、制御手段が番組検索手段および放送受信手段を制御するので、番組検索の途中で、検索条件を満たす番組を実際に視聴してみることができる。
【手続補正２０】
【補正対象書類名】明細書
【補正対象項目名】００２９
【補正方法】変更
【補正の内容】
【００２９】
また本発明で、前記要求入力手段は、前記視聴を中止して前記番組の検索を再開する要求を入力可能であり、前記制御手段は、要求入力手段に番組の検索を再開する要求が入力されるとき、前記番組検索手段を制御して、前記番組の検索を停止した状態から、番組の検索を再開させることを特徴とする。
【手続補正２１】
【補正対象書類名】明細書
【補正対象項目名】００３０
【補正方法】変更
【補正の内容】
【００３０】
本発明に従えば、番組検索の途中で番組の視聴を行っても、検索を停止した状態から検索を再開することができるので、視聴をした番組まで検索を繰返さないで、新たな番組について検索を進めることができる。
【手続補正２２】
【補正対象書類名】明細書
【補正対象項目名】００３１
【補正方法】変更
【補正の内容】
【００３１】
また本発明は、前記条件設定手段によって設定される検索条件を保存する条件保存手段をさらに含み、
前記条件判断手段は、前記条件保存手段に保存される検索条件に従って、前記番組の判断を行うことを特徴とする。
【手続補正２３】
【補正対象書類名】明細書
【補正対象項目名】００３２
【補正方法】変更
【補正の内容】
【００３２】
本発明に従えば、条件設定手段によって設定される検索条件は、条件保存手段に保存するので、保存されている検索条件で番組の検索を行うことができるので、いったん検索条件を設定すれば、同一の検索条件で番組検索を行う場合、次回からは検索条件の設定なしに迅速に番組の検索を行わせることができる。
【手続補正２４】
【補正対象書類名】明細書
【補正対象項目名】００３３
【補正方法】変更
【補正の内容】
【００３３】
また本発明は、番組とともに、当該番組の内容を案内する番組案内情報が放送されるデジタル放送を受信するデジタル放送受信方法において、
受信した番組案内情報に基づいて、番組が予め設定される検索条件に適合するか否かを判断し、
受信した番組が検索条件に適合すると判断されるデジタル放送の受信を続け、番組が検索条件に適合すると判断されないデジタル放送は受信を停止し、異なるデジタル放送を受信して、番組の検索を行うことを特徴とするデジタル放送受信方法である。
【手続補正２５】
【補正対象書類名】明細書
【補正対象項目名】００３４
【補正方法】変更
【補正の内容】
【００３４】
本発明に従えば、番組とともに、当該番組の内容を案内する番組案内情報が放送されるデジタル放送を受信するデジタル放送受信方法は、放送中のデジタル放送を受信すると、放送受信手段が受信する番組案内情報に基づいて、該番組案内情報によって案内される番組が予め設定される検索条件に適合するか否かを判断する。番組が検索条件に適合すると判断されるデジタル放送の受信を続け、番組が検索条件に適合すると判断されないデジタル放送は受信を停止し、異なるデジタル放送を受信するように、番組の検索を行うので、放送されている番組の全部ではなく、予め設定されている検索条件に適合する番組のみ受信するように、受信する番組を絞ることができ、効率的な番組サーチを実現することができる。
【手続補正２６】
【補正対象書類名】明細書
【補正対象項目名】００４８
【補正方法】変更
【補正の内容】
【００４８】
図２や図３に示すような条件を入力する操作を受ける条件入力手段としては、図１に示すリモコン１２を用いることができる。入力される条件を判断する検索条件として設定する条件設定手段としては、ＣＰＵ２１が機能する。検索条件を、視聴者が入力することができ、視聴者が条件を入力すれば、検索条件として設定されるので、視聴者は自由に番組サーチ機能のための検索条件を入力することができ、視聴したい番組を迅速に検索することができる。
【手続補正２７】
【補正対象書類名】明細書
【補正対象項目名】００５２
【補正方法】変更
【補正の内容】
【００５２】
また、番組名、出演者名または番組詳細情報の少なくともいずれかについてのキーワードを入力可能であり、入力されるキーワードを含む番組を受信するように検索条件を設定するので、視聴者は視聴したい番組を選択するためにキーワードを入力し、入力されたキーワードを番組名、出演者名または番組詳細情報の少なくともいずれかに含むような番組を検索することができる。
【手続補正２８】
【補正対象書類名】明細書
【補正対象項目名】００５６
【補正方法】変更
【補正の内容】
【００５６】
図１のＣＰＵ２１は、番組の検索を実行中に、番組の視聴の要求を入力可能な要求入力手段と、番組の視聴の要求が入力されるとき、番組検索手段を制御して番組の検索を停止し、前記放送受信手段を制御して番組の視聴用の受信を行う制御手段としても機能する。番組の検索を実行中に、番組の視聴を要求すれば、番組の検索を停止し、番組の視聴用の受信を行うので、番組検索の途中で、検索条件を満たす番組を実際に視聴してみることができる。
【手続補正２９】
【補正対象書類名】明細書
【補正対象項目名】００５７
【補正方法】変更
【補正の内容】
【００５７】
また視聴を中止して番組の検索を再開することも可能であり、番組の検索を再開する要求が入力されるとき、番組の検索を停止した状態から、番組の検索を再開させることができるので、視聴をした番組まで検索を繰返さないで、新たな番組について検索を進めることができる。
【手続補正３０】
【補正対象書類名】明細書
【補正対象項目名】００６１
【補正方法】変更
【補正の内容】
【００６１】
また本発明によれば、番組が検索条件に適合すると判断されたデジタル放送をスピーカもしくはディスプレイに出力し、所定時間経過すると、検索条件に適合する他の番組を検索し、出力中の番組と切替えて他の番組を出力することが可能となる。従って、視聴者は検索条件に適合する受信可能な番組を見たり聞いたりすることで確認することができる。
【手続補正３１】
【補正対象書類名】明細書
【補正対象項目名】００６２
【補正方法】変更
【補正の内容】
【００６２】
また本発明によれば、視聴者は、条件入力手段に入力する条件を、予め用意されている複数の条件のリストから選択することが可能となるので、視聴者による条件の入力操作を簡単にすることができる。視聴したいサービスの種類や名称等が判らない場合でも、リストから選択することによって、適切な条件を入力することができる。
【手続補正３２】
【補正対象書類名】明細書
【補正対象項目名】００６３
【補正方法】変更
【補正の内容】
【００６３】
また本発明によれば、視聴者が条件設定手段に設定する条件の否定ＮＯＴや、複数の条件についてのＯＲやＡＮＤなど、指定された演算を含む検索条件を設定して番組を検索するので、視聴者の希望する条件での番組の検索を効率的に行うことができる。複数の条件を組合わせることで、さらに詳しい条件指定が可能になる。また、検索条件を指定し、また複数の条件を組合わせることで、番組検索の効率が上がり、視聴したい番組をすぐに探すことが可能になる。
【手続補正３３】
【補正対象書類名】明細書
【補正対象項目名】００６６
【補正方法】変更
【補正の内容】
【００６６】
また本発明によれば、デジタル放送に含まれる映像、音声、データおよび臨時のサービスの種類毎に、設定条件に基づく番組の検索が行われるので、同一種類のサービス間で比較しながら番組の選択を行うことができる。番組検索で、テレビジョン放送、ラジオ放送、データ放送などのサービスの種類が異なる番組が交互に提示されると、画面表示に一貫性がなく、視聴したい番組を探すのに支障をきたす場合がある。まず全てのテレビジョン放送を検索し、その後に全てのラジオ放送を検索するというように、サービスの種類毎に検索を行うと、番組内容の把握をしやすく、視聴したい番組の検索を円滑に行うことができる。
【手続補正３４】
【補正対象書類名】明細書
【補正対象項目名】００６８
【補正方法】変更
【補正の内容】
【００６８】
また本発明によれば、番組の検索を実行中に、番組の視聴を要求すれば、番組の検索を停止し、番組の視聴用の受信を行うことができるので、番組検索で行われる一定の提示期間内では、たとえばＣＭ中などで、本当に視聴したい番組であるか否かが判らない場合でも、しばらくそのサービスを視聴することで、番組内容を把握することができる。
【手続補正３５】
【補正対象書類名】明細書
【補正対象項目名】００６９
【補正方法】変更
【補正の内容】
【００６９】
また本発明によれば、番組検索の途中で番組の視聴を行っても、確認された番組内容が視聴したい番組でないと判明しても、番組検索を途中からやり直すことで、検索効率を上げることができる。
【手続補正３６】
【補正対象書類名】明細書
【補正対象項目名】００７０
【補正方法】変更
【補正の内容】
【００７０】
また本発明によれば、保存された検索条件で番組検索をしたり、保存されている検索条件で番組の検索を行うことができるので、以前に番組検索を行ったのと同じ条件で番組検索を行う場合に、その条件設定の履歴を用いることで、わずらわしい設定を再度行わなくてもよくなり、視聴したい番組の検索を速く行えるようにすることができる。
【手続補正３７】
【補正対象書類名】明細書
【補正対象項目名】００７１
【補正方法】変更
【補正の内容】
【００７１】
また本発明によれば、番組とともに、当該番組の内容を案内する番組案内情報が放送されるデジタル放送を受信する際に、番組案内情報に基づいて、番組が予め設定される検索条件に適合するか否かを判断し、検索条件に適合すると判断されるデジタル放送の受信を続け、番組が検索条件に適合すると判断されないデジタル放送は受信を停止し、異なるデジタル放送を受信するように番組の検索を行う。放送されている番組の全部ではなく、予め設定されてる検索条件に適合する番組のみ受信するように、受信する番組を絞ることができ、効率的な番組検索を実現することができる。